(57)【要約】【課題】画質補正処理による副次的な画質劣化を低減し得るようにする。【解決手段】テレビジョン装置１の信号処理部３は、ディジタル映像データに対し施すべき全コントラスト補正処理を前段コントラスト補正処理と後段コントラスト補正処理とに分離し、コントラスト補正回路２６により８ビットのディジタル映像データに対して変動幅を抑えた前段コントラスト補正処理を施し、ガンマ補正回路２８により１０ビットのディジタル映像データに対して残り部分に相当する後段コントラスト補正処理を施すことにより、粗い階調のディジタル映像データにおける変動幅を抑えて誤差を最小限にとどめ得ると共に、細かい階調のディジタル映像データを緻密に変化させることができる。【選択図】図２
2008311954.tif 000002
【特許請求の範囲】
【請求項１】
所定の原ビット数でなるディジタル映像データに対し、当該原ビット数を変更せず画質補正処理の一部分を施すことにより、上記ディジタル映像データにおける上記画質補正処理前後のゲインを所定範囲内に抑える補正処理部と、
上記画質補正処理の一部分が施された上記ディジタル映像データを上記原ビット数よりも多い表示ビット数でなる表示用映像データに変換し、当該表示用映像データに対し上記画質補正処理の残り部分を施す変換処理部と、
上記表示映像データに基づいた映像を表示する表示部と
を具えることを特徴とする映像表示装置。
【請求項２】
上記補正処理部は、
上記ディジタル映像データの画質補正処理前後におけるゲインをほぼ１倍とする
ことを特徴とする請求項１に記載の映像表示装置。
【請求項３】
上記補正処理部は、
画質補正処理の一部分を施すことにより、上記ディジタル映像データの輝度値を±１の範囲内で変化させる
ことを特徴とする請求項１に記載の映像表示装置。
【請求項４】
上記変換処理部は、
上記画質補正処理の残り部分を施す際、上記ディジタル映像データの低輝度部分におけるゲインを１倍以下にすると共に、上記ディジタル映像データの中輝度部分におけるゲインを１倍以上とする
ことを特徴とする請求項１に記載の映像表示装置。
【請求項５】
上記変換処理部は、
上記ディジタル映像データに対し、上記画質補正処理の残り部分に加えて上記表示部の表示特性に応じた表示特性補正処理を施す
ことを特徴とする請求項１に記載の映像表示装置。
【請求項６】
所定の原ビット数でなるディジタル映像データに対し、当該原ビット数を変更せず画質補正処理の一部分を施すことにより、上記ディジタル映像データにおける上記画質補正処理前後のゲインを所定範囲内に抑える補正処理ステップと、
上記画質補正処理の一部分が施された上記ディジタル映像データを上記原ビット数よりも多い表示ビット数でなる表示用映像データに変換し、当該表示用映像データに対し上記画質補正処理の残り部分を施す変換処理ステップと、
上記表示映像データに基づいた映像を所定の表示部に表示させる表示ステップと
を具えることを特徴とする映像表示方法。
【発明の詳細な説明】
【技術分野】
【０００１】
本発明は映像表示装置及び映像表示方法に関し、例えばテレビジョン装置に適用して好適なものである。
【背景技術】
【０００２】
近年、テレビジョン装置においては、従来のＣＲＴ（Cathode Ray Tube）に代えて、液晶パネルやプラズマパネル等を表示デバイスとして用い映像を表示するテレビジョン装置が普及しつつある。
【０００３】
かかるテレビジョン装置では、内蔵するテレビジョンチューナ等によりテレビジョン放送波を受信し生成した映像信号や、外部のＤＶＤ（Digital Versatile Disc）プレーヤ等から供給される映像信号等を、表示デバイスに適した表示用映像信号に変換して当該表示デバイスへ供給することにより、当該映像信号に基づいた映像を表示し得るようになされている。
【０００４】
またテレビジョン装置のなかには、映像信号に対して輪郭補正やコントラスト補正等の画質補正処理を行うことにより、良好な画質の映像を表示し得るようになされたものも提案されている（例えば、特許文献１参照）。
【特許文献１】特開２００６−３３９８２３号公報（第２図）
【発明の開示】
【発明が解決しようとする課題】
【０００５】
ところで、かかる構成のテレビジョン装置では、画質補正処理を行う際、映像信号に対してシャープネス補正やコントラスト補正等の各種補正処理を段階的に施すようになされたものがある。
【０００６】
かかる画質補正処理では、例えば時間の経過に伴い映像信号が僅かに変化した際に、各段階における補正処理の積み重ねにより、最終的な当該輝度レベルの変化が比較的大きくなってしまう可能性がある。
【０００７】
このような場合、テレビジョン装置は、本来ほとんど変化させるべきでない映像を大きく変化させてしまうため、視聴者に画質を劣化させたかのような印象を与えてしまうという問題があった。
【０００８】
本発明は以上の点を考慮してなされたもので、画質補正処理による副次的な画質劣化を低減し得る映像表示装置及び映像表示方法を提案しようとするものである。
【課題を解決するための手段】
【０００９】
かかる課題を解決するため本発明の映像表示装置においては、所定の原ビット数でなるディジタル映像データに対し、当該原ビット数を変更せず画質補正処理の一部分を施すことにより、ディジタル映像データにおける画質補正処理前後のゲインを所定範囲内に抑える補正処理部と、画質補正処理の一部分が施されたディジタル映像データを原ビット数よりも多い表示ビット数でなる表示用映像データに変換し、当該表示用映像データに対し画質補正処理の残り部分を施す変換処理部と、表示映像データに基づいた映像を表示する表示部とを設けるようにした。
【００１０】
これにより、ビット数が少なく階調が粗い状態でのディジタル映像データに対する画質の補正幅を抑えて誤差の発生を低減し得ると共に、ビット数が多く階調が細かい状態でのディジタル映像データに対し高精度な画質補正処理を施すことができる。
【００１１】
また本発明の映像表示方法においては、所定の原ビット数でなるディジタル映像データに対し、当該原ビット数を変更せず画質補正処理の一部分を施すことにより、ディジタル映像データにおける画質補正処理前後のゲインを所定範囲内に抑える補正処理ステップと、画質補正処理の一部分が施されたディジタル映像データを原ビット数よりも多い表示ビット数でなる表示用映像データに変換し、当該表示用映像データに対し画質補正処理の残り部分を施す変換処理ステップと、表示映像データに基づいた映像を所定の表示部に表示させる表示ステップとを設けるようにした。
【００１２】
これによりビット数が少なく階調が粗い状態でのディジタル映像データに対する画質の補正幅を抑えて誤差の発生を低減し得ると共に、ビット数が多く階調が細かい状態でのディジタル映像データに対し高精度な画質補正処理を施すことができる。
【発明の効果】
【００１３】
本発明によれば、ビット数が少なく階調が粗い状態でのディジタル映像データに対する画質の補正幅を抑えて誤差の発生を低減し得ると共に、ビット数が多く階調が細かい状態でのディジタル映像データに対し高精度な画質補正処理を施すことができ、かくして画質補正処理による副次的な画質劣化を低減し得る映像表示装置及び映像表示方法を実現できる。
【発明を実施するための最良の形態】
【００１４】
以下、図面について、本発明の一実施の形態を詳述する。
【００１５】
（１）テレビジョン装置の構成
（１−１）全体構成
図１において、テレビジョン装置１は、全体としてテレビジョン放送波に基づく映像や外部の映像機器から供給される映像信号に基づく映像を表示パネル４に表示し得るようになされている。
【００１６】
入力端子群２は、図示しない外部の映像機器からＨＤＭＩ（High Definition Multimedia Interface）等の規格に準拠したディジタル映像データＶＤ１の供給を受けるディジタル入力端子２Ｄ、及び外部の映像機器からいわゆるコンポーネント映像信号やコンポジット映像信号等のようなアナログ映像信号ＶＡ１の供給を受けるアナログ入力端子２Ａを有しており、アナログ映像信号ＶＡ１及びディジタル映像データＶＤ１を信号処理部３へ中継する。
【００１７】
信号処理部３は、ディジタル映像データＶＤ１及びアナログ映像信号ＶＡ１に対して所定の画質補正等の信号処理を施すと共に表示パネル４に適した信号形式でなる表示映像データＶＥに変換し（詳しくは後述する）、これを当該表示パネル４へ供給する。
【００１８】
表示パネル４は、例えば液晶パネルでなり、表示映像データＶＥに基づいた映像を表示するようになされている。
【００１９】
因みにテレビジョン装置１は、図示しないチューナ回路を有しており、当該チューナ回路によってディジタルテレビジョン放送波の復調処理等を行うことによりディジタル映像データを生成し、その映像を表示パネル４に表示し得るようにもなされている。
【００２０】
（１−２）信号処理部の構成
図２に示すように、信号処理部３は、大きく分けて信号処理部３の全体を制御する制御部３Ａ、ディジタル映像データＶＤ１及びアナログ映像信号ＶＡ１を受け付ける入力処理部３Ｂ、映像の画質を補正する画質補正処理部３Ｃ及び表示映像データＶＥを生成する表示信号生成部３Ｄにより構成され、バス１０を介してそれぞれが接続されている。
【００２１】
制御部３Ａは、バス１０を介して信号処理部３を統括制御するようになされている。実際上、制御部３ＡのＣＰＵ（Central Processing Unit）１１は、ＲＯＭ（Read Only Memory）１２から基本プログラムや映像信号補正プログラム等の各種プログラムを読み出し、ＲＡＭ（Random Access Memory）１３へ展開し実行することにより、信号処理部３の基本動作処理及び映像信号補正処理等を行い得るようになされている。
【００２２】
入力処理部３Ｂは、入力信号切換回路２１によりアナログ映像信号ＶＡ１及びディジタル映像データＶＤ１の入力を受けると共に、制御部３Ａからの指示に基づきいずれか一方を選択するようになされている。
【００２３】
このとき入力信号切換回路２１は、アナログ映像信号ＶＡ１が選択された場合は当該アナログ映像信号ＶＡ１をＡ／Ｄ（Analog/Digital）変換器２２へ供給し、ディジタル映像データＶＤ１が選択された場合は当該ディジタル映像データＶＤ１を画質補正処理部３Ｃのノイズリダクション回路２４へ供給する。
【００２４】
Ａ／Ｄ変換器２２は、アナログ映像信号ＶＡ１を８ビットのディジタル映像データＶＤ２に変換し、これをビデオデコーダ２３へ供給する。このときビデオデコーダ２３は、アナログ映像信号ＶＡ１がＮＴＳＣ（National Television Standards Committee）方式等のコンポジット信号であれば、これをＡ／Ｄ変換してコンポジットデータでなるディジタル映像データＶＤ２を生成する。
【００２５】
またＡ／Ｄ変換器２２は、アナログ映像信号ＶＡ１がＹ（輝度）信号及びＣ（色）信号でなるＹ／Ｃ分離映像信号であれば、Ｙ信号及びＣ信号をそれぞれＡ／Ｄ変換してＹデータ及びＣデータでなるディジタル映像データＶＤ２を生成する。
【００２６】
さらにＡ／Ｄ変換器２２は、アナログ映像信号ＶＡ１がＹ信号、Ｃｒ信号及びＣｂ信号でなるコンポーネント映像信号であれば、Ｙ信号、Ｃｒ信号及びＣｂ信号をそれぞれＡ／Ｄ変換してＹデータ、Ｃｒデータ及びＣｂデータでなるディジタル映像データＶＤ２を生成する。
【００２７】
ビデオデコーダ２３は、ディジタル映像データＶＤ２がコンポジットデータのみの場合、又はＹデータ及びＣデータに分離されている場合、当該ディジタル映像データＶＤ２に対して所定の映像データ分離処理を施すことにより、Ｙデータ、Ｃｒデータ及びＣｂデータに分離されたディジタル映像データＶＤ３を生成し、これを画質補正処理部３Ｃのノイズリダクション回路２４へ供給する。因みにビデオデコーダ２３は、ディジタル映像データＶＤ２がＹデータ、Ｃｒデータ及びＣｂデータに分離されている場合には、これをそのままディジタル映像データＶＤ３とする。
【００２８】
ノイズリダクション回路２４は、ディジタル映像データＶＤ３又はディジタル映像データＶＤ１が表す映像における動きを検出しながら、当該ディジタル映像データＶＤ３に対し所定のノイズ低減処理を施すことにより、ノイズが低減されたディジタル映像データＶＤ４を生成し、これをシャープネス補正回路２５へ供給する。
【００２９】
シャープネス補正回路２５は、ディジタル映像データＶＤ４に対して所定のシャープネス補正処理を施すことにより、当該ディジタル映像データＶＤ４が表す映像における輪郭をシャープに（すなわち鮮明に）補正したディジタル映像データＶＤ５を生成し、これをコントラスト補正回路２６へ供給する。
【００３０】
コントラスト補正回路２６は、ディジタル映像データＶＤ５に対して所定のコントラスト補正処理を施すことにより、当該ディジタル映像データＶＤ５が表す映像における明るさを検出しながら、明暗の差を強調するよう補正したディジタル映像データＶＤ６を生成し、これをＲＧＢ変換回路２７へ供給する。
【００３１】
因みに画質補正処理部３Ｃのノイズリダクション回路２４、シャープネス補正回路２５及びコントラスト補正回路２６は、各ディジタル映像データＶＤ３〜ＶＤ６をいずれも８ビットの映像データとして各補正処理等を行うようになされている。
【００３２】
ＲＧＢ変換回路２７は、Ｙデータ、Ｃｒデータ及びＣｂデータの組み合わせでなるディジタル映像データＶＤ６を、表示パネル４が受け付け得る信号形式であるＲＧＢ形式に変換することによりディジタル映像データＶＤ７を生成し、これをガンマ補正回路２８へ供給する。
【００３３】
ガンマ補正回路２８は、ディジタル映像データＶＤ７に対し所定のガンマ補正処理を施すことにより、当該ディジタル映像データＶＤ７が表す画像における階調を表示パネル４の表示特性に合わせて補正すると共に、当該ディジタル映像データＶＤ７におけるビット数を８ビット（２５６階調）から１０ビット（１０２４階調）へ拡張することにより、１０ビットの表示映像データＶＥを生成し、これを表示パネル４（図１）へ供給する。
【００３４】
因みにガンマ補正回路２８は、表示パネル４の表示特性に合わせてホワイトバランス等の画質調整も行うようになされている。
【００３５】
このように信号処理部３は、画質補正処理部３Ｃにおいて８ビットでなるディジタル映像データＶＤ３〜ＶＤ５に対し種々の画質補正処理を施すと共に、表示信号生成部３Ｄにおいて１０ビットでなる表示映像信号ＶＥを生成するようになされている。
【００３６】
（２）画質補正処理及び表示信号生成における映像データの変換特性
ところで信号処理部３の制御部３Ａは、本来コントラスト補正回路２６によりディジタル映像データに対して施すべきコントラスト補正処理（以下、これを全コントラスト補正処理と呼ぶ）を２段階に分離し、それぞれをコントラスト補正回路２６及びガンマ補正回路２８により行わせるようになされている。
【００３７】
コントラスト補正回路２６は、制御部３Ａの制御に基づき、全コントラスト補正処理のうち一部のコントラスト補正処理（以下、これを前段コントラスト補正処理と呼ぶ）をディジタル映像データＶＤ５に施すようになされている。
【００３８】
ガンマ補正回路２８は、制御部３Ａの制御に基づき、ディジタル映像データＶＤ７を１０ビット化した後、全コントラスト補正処理のうち残り部分のコントラスト補正処理（以下、これを後段コントラスト補正処理と呼ぶ）を施すようになされている。
【００３９】
ここでコントラスト補正回路２６は、図３に入出力特性曲線Ｓ１として示すように、低輝度における入出力特性、すなわちディジタル映像データＶＤ５のレベルに対するディジタル映像データＶＤ６のレベルの比率（いわゆるゲイン）をほぼ１倍とする。またコントラスト補正回路２６は、図３に入出力特性曲線Ｓ２として示すように、中輝度における入出力特性を１倍よりもやや大きくするものの、当該入出力特性を極力１倍に近づけた値とする。
【００４０】
すなわちコントラスト補正回路２６は、相対的に階調が粗い８ビットのディジタル映像データＶＤ５に対する前段コントラスト補正処理では、変動幅を小さく抑えることにより、例えば８ビットで表されるディジタル映像データＶＤ５の値を±１の範囲内に止めて変化させるようになされている。
【００４１】
一方、ガンマ補正回路２８は、図４に入出力特性曲線Ｓ３として示すように、低輝度においてゲインを１倍以下とするよう抑えると共に、中輝度においてゲインを１倍以上とする。
【００４２】
すなわちガンマ補正回路２８は、ディジタル映像データＶＤ７を１０ビット化し相対的な階調を細かくした後の後段コントラスト補正処理では、変動幅を比較的大きくすることにより、全コントラスト補正処理のうち前段コントラスト補正処理では施しきれなかった残り部分を、綿密に階調変化させることにより補うようになされている。
【００４３】
因みにガンマ補正回路２８は、図示しない記憶部に入出力特性曲線Ｓ３に相当する変換テーブルを記憶しており、当該変換テーブルを参照して後段コントラスト補正処理を行うようになされている。またガンマ補正回路２８は、既にＲＧＢ形式に変換されているディジタル映像データＶＤ７に対し、適切に後段コントラスト補正処理を施し得るようになされている。
【００４４】
このように信号処理部３Ａの制御部３Ａは、本来コントラスト補正回路２６によりディジタル映像データに対し施すべき全コントラスト補正処理を前段コントラスト補正処理と後段コントラスト補正処理とに分離して、コントラスト補正回路２６及びガンマ補正回路２８にそれぞれ割り当てることにより、当該コントラスト補正回路２６による粗い前段コントラスト補正処理における変動幅を抑え、当該ガンマ補正回路２８による細かい後段コントラスト補正処理により残り部分を補うようになされている。
【００４５】
（３）動作及び効果
以上の構成において、テレビジョン装置１の信号処理部３は、ディジタル映像データに対し施すべき全コントラスト補正処理を前段コントラスト補正処理と後段コントラスト補正処理とに分離し、コントラスト補正回路２６により８ビットのディジタル映像データに対して変動幅を抑えた前段コントラスト補正処理を施し、ガンマ補正回路２８により１０ビットのディジタル映像データに対して残り部分に相当する後段コントラスト補正処理を施す。
【００４６】
従って信号処理部３は、コントラスト補正回路２６における前段コントラスト補正処理により粗い階調のディジタル映像データにおける変動幅を抑えることができ、ガンマ補正回路２８における後段コントラスト補正処理により細かい階調のディジタル映像データを緻密に変化させることができる。
【００４７】
このため信号処理部３は、コントラスト補正回路２６のみにより全コントラスト補正処理を行う場合に発生し得る、映像信号の僅かな変化に対しディジタル映像データを粗く変化させてしまい最終的に表示される映像を必要以上に大きく変化させ、視聴者に違和感を与えてしまうことを未然に防止することができる。
【００４８】
このことを換言すれば、信号処理部３は、ディジタル映像データが８ビットの段階での前段コントラスト補正処理による誤差の発生を最小限に止めることができ、ディジタル映像データが１０ビットに拡張された後の後段コントラスト補正処理により誤差の少ない高精度なコントラスト補正処理を行うことができる。
【００４９】
特に信号処理部３は、ディジタル映像データにおいて一般にノイズが目立ちやすいとされる低輝度の部分について、前段コントラスト補正処理ではゲインをほぼ１倍に保ち（図３）、後段コントラスト補正処理ではゲインを１倍以下に抑えることにより、ノイズの発生を効果的に防止することができる。
【００５０】
また信号処理部３は、ディジタル映像データにおいて一般に階調の段差が目立ちやすいとされる中輝度の部分について、前段コントラスト補正処理ではゲインをほぼ１倍に抑え（図３）、後段コントラスト補正処理ではゲインを１倍以上とすることにより、細かい階調によりなだらかに変化させることができ、階調の段差を目立たなくすることができる。
【００５１】
以上の構成によれば、テレビジョン装置１の信号処理部３は、ディジタル映像データに対し施すべき全コントラスト補正処理を前段コントラスト補正処理と後段コントラスト補正処理とに分離し、コントラスト補正回路２６により８ビットのディジタル映像データに対して変動幅を抑えた前段コントラスト補正処理を施し、ガンマ補正回路２８により１０ビットのディジタル映像データに対して残り部分に相当する後段コントラスト補正処理を施すことにより、粗い階調のディジタル映像データにおける変動幅を抑えることができると共に、細かい階調のディジタル映像データを緻密に変化させることができる。
【００５２】
（４）他の実施の形態
なお上述した実施の形態においては、前段コントラスト補正処理及び後段コントラスト補正処理において、それぞれ図３及び図４に示したような入出力特性の補正処理を行うようにした場合について述べたが、本発明はこれに限らず、それぞれ他の種々の入出力特性でなる補正処理を行うようにしても良い。この場合、８ビットのディジタル映像データに対する前段コントラスト補正処理では、例えば輝度値の変動幅を±２以内とするなど、ディジタル映像データの変化を抑えて誤差を最小限にとどめ、１０ビットに拡張された後のディジタル映像データに対する後段コントラスト補正処理では、当該輝度値を大きく変化させるようにすれば良い。
【００５３】
また上述した実施の形態においては、画質補正処理部３Ｃ内では８ビットのディジタル映像データに対して各種画質補正処理を施し、表示信号生成部３Ｄ内では当該ディジタル映像データのビット数を８ビットから１０ビットに変換するようにした場合について述べたが、本発明はこれに限らず、画質補正処理部３Ｃ内におけるディジタル映像データのビット数を１０ビットや１２ビット等とし、表示信号生成部３Ｄによる変換後のビット数を１２ビットや１６ビット等とするなど、それぞれのビット数を任意にしても良い。この場合、画質補正処理部３Ｃ内におけるディジタル映像データのビット数よりも表示信号生成部３Ｄによる変換後のビット数が多くなっていれば良い。
【００５４】
さらに上述した実施の形態においては、ガンマ補正回路２８により後段コントラスト補正処理を行うようにした場合について述べたが、本発明はこれに限らず、１０ビット化された後のディジタル映像データに対し処理を施す他の処理回路により当該後段コントラスト補正処理を行うようにしても良い。
【００５５】
さらに上述した実施の形態においては、ディジタル映像データに対して施すべきコントラスト補正処理を前段コントラスト補正処理及び後段コントラスト補正処理に分離し、当該前段コントラスト補正処理を本来のコントラスト補正回路２６により行うと共に、後段コントラスト補正処理を他の処理回路であるガンマ補正回路２８により行うようにした場合について述べたが、本発明はこれに限らず、例えばシャープネス補正回路２５においてディジタル映像データに対して施すべきシャープネス補正処理を前段シャープネス補正処理及び後段シャープネス補正処理に分離し、当該前段シャープネス補正処理をシャープネス補正回路２５により行うと共に、当該後段シャープネス補正処理をガンマ補正回路２８等により行う等、他の補正処理について前段処理及び後段処理に分離するようにしても良い。
【００５６】
さらに上述した実施の形態においては、コントラスト補正処理のみについて前段処理及び後段処理に分離するようにした場合について述べたが、本発明はこれに限らず、例えばコントラスト補正処理及びシャープネス補正処理の双方について、それぞれ前段処理及び後段処理に分離し、それぞれの後段処理をガンマ補正回路２８により行う等、複数種類の画質補正処理をそれぞれ前段処理及び後段処理に分離し、１０ビット化された後のディジタル映像データに対してそれぞれの後段処理を施すようにしても良い。
【００５７】
さらに上述した実施の形態においては、入力端子群２にディジタル入力端子２Ｄ及びアナログ入力端子２Ａがそれぞれ１系統ずつ設けられた場合について述べたが、本発明はこれに限らず、ディジタル入力端子２Ｄ及びアナログ入力端子２Ａがそれぞれ任意数設けられていても良く、またディジタル入力端子２Ｄ又はアナログ入力端子２Ａのいずれか一方が省略されていても良い。
【００５８】
ディジタル入力端子２Ｄとしては、ＨＤＭＩ方式に準拠したものに限らず、例えばコンピュータ等で用いられるＤＶＩ（Digital Visual Interface）方式等の種々の方式でも良い。
【００５９】
さらに上述した実施の形態においては、液晶パネルでなる表示部４にディジタル映像データに基づいた映像を表示するようにした場合について述べたが、本発明はこれに限らず、例えばプラズマディスプレイパネルや電界放出ディスプレイパネル等のような種々の構成でなる表示部４にディジタル映像データに基づいた映像を表示するようにしても良い。
【００６０】
さらに上述した実施の形態においては、テレビジョン装置１に本発明を適用するようにした場合について述べたが、本発明はこれに限らず、例えばノート型コンピュータや携帯型ゲーム機器、又は携帯電話機器等の、映像信号をディスプレイ部に表示する種々の電子機器に本発明を適用するようにしても良い。
【００６１】
さらに上述した実施の形態においては、補正処理部としてのコントラスト補正回路２６と、変換処理部としてのガンマ補正回路２８と、表示部としての表示パネル４とによって映像表示装置としてのテレビジョン装置１を構成する場合について述べたが、本発明はこれに限らず、その他種々の回路構成でなる補正処理部と、変換処理部と、表示部とによって映像表示装置を構成するようにしても良い。
【産業上の利用可能性】
【００６２】
本発明は、テレビジョン装置や携帯型電話機器等でも利用できる。
【図面の簡単な説明】
【００６３】
【図１】テレビジョン装置の全体構成を示すブロック図である。
【図２】信号処理部の構成を示すブロック図である。
【図３】前段コントラスト補正処理の説明に供する略線図である。
【図４】後段コントラスト補正処理の説明に供する略線図である。
【符号の説明】
【００６４】
１……テレビジョン装置、３……信号処理部、３Ａ……制御部、３Ｃ……画質補正処理部、３Ｄ……表示信号生成部、２６……コントラスト補正回路、２８……ガンマ補正回路。
【図１】
2008311954.tif 000003
【図２】
2008311954.tif 000004
【図３】
2008311954.tif 000005
【図４】
2008311954.tif 000006